(57)【要約】      （修正有）【課題】ランニングコストを低減することができる温風発生機を提供する。【解決手段】温風発生機１において、おが屑を燃焼させる燃焼室８に熱交換パイプを連通連結するとともに、熱交換パイプに吸引装置２１を連通連結する一方、送風ファン２５，２６を熱交換パイプに対向配置し、送風ファンから熱交換パイプに向けて送風し送風ダクト２７から温風を噴出すように構成することにした。また、燃焼室８は、底壁に熱交換パイプと連通する連通孔を形成するとともに、周壁に外気を吸入する吸入口を形成し、吸入口よりも上方におが屑を検出するためのセンサーを配置する。【選択図】図１
0003146596.tif 000002
【実用新案登録請求の範囲】
【請求項１】
おが屑を燃焼させる燃焼室に熱交換パイプを連通連結するとともに、熱交換パイプに吸引装置を連通連結する一方、送風ファンを熱交換パイプに対向配置し、送風ファンから熱交換パイプに向けて送風し送風ダクトから温風を噴出すように構成したことを特徴とする温風発生機。
【請求項２】
前記燃焼室は、底壁に熱交換パイプと連通する連通孔を形成するとともに、周壁に外気を吸入する吸入口を形成し、吸入口よりも上方におが屑を検出するためのセンサーを配置したことを特徴とする請求項１に記載の温風発生機。
【考案の詳細な説明】
【技術分野】
【０００１】
本考案は、温風発生機に関するものであり、特に、燃焼室に熱交換パイプを連通連結するとともに、送風ファンを熱交換パイプに対向配置して、送風ファンから熱交換パイプに向けて送風し送風ダクトから温風を噴出すように構成した温風発生機に関するものである。
【背景技術】
【０００２】
従来より、ビニールハウスや建築現場などの暖房器具として、所定温度に上昇した温風を噴出す温風発生機が広く利用されている。
【０００３】
この温風発生機としては、燃焼室に熱交換パイプを連通連結するとともに、送風ファンを熱交換パイプに対向配置して、送風ファンから熱交換パイプに向けて送風し送風ダクトから温風を噴出すように構成したものが知られている（たとえば、特許文献１参照）。
【０００４】
そして、従来の温風発生機としては、燃焼室にバーナーを配設し、液体燃料をバーナーで燃焼することによって熱風を発生するように構成していた。
【０００５】
【特許文献１】特開平７−３３２７６５号公報
【考案の開示】
【考案が解決しようとする課題】
【０００６】
ところが、上記従来の温風発生機では、液体燃料を燃焼させることによって熱風を発生するバーナーを熱源として用いていたために、液体燃料の消費量が多く、燃料費が高く、これにより、温風発生機のランニングコストが高くなるといった欠点があった。
【課題を解決するための手段】
【０００７】
そこで、請求項１に係る本考案では、温風発生機において、おが屑を燃焼させる燃焼室に熱交換パイプを連通連結するとともに、熱交換パイプに吸引装置を連通連結する一方、送風ファンを熱交換パイプに対向配置し、送風ファンから熱交換パイプに向けて送風し送風ダクトから温風を噴出すように構成することにした。
【０００８】
また、請求項２に係る本考案では、前記請求項１に係る本考案において、前記燃焼室は、底壁に熱交換パイプと連通する連通孔を形成するとともに、周壁に外気を吸入する吸入口を形成し、吸入口よりも上方におが屑を検出するためのセンサーを配置することにした。
【考案の効果】
【０００９】
そして、本考案では、以下に記載する効果を奏する。
【００１０】
すなわち、本考案では、温風発生機において、おが屑を燃焼させる燃焼室に熱交換パイプを連通連結するとともに、熱交換パイプに吸引装置を連通連結する一方、送風ファンを熱交換パイプに対向配置し、送風ファンから熱交換パイプに向けて送風し送風ダクトから温風を噴出すように構成することにしているために、燃料費を低く抑えることができ、温風発生機のランニングコストを低減することができる。
【００１１】
特に、燃焼室の底壁に熱交換パイプと連通する連通孔を形成するとともに、燃焼室の周壁に外気を吸入する吸入口を形成し、吸入口よりも上方におが屑を検出するためのセンサーを配置することにしているために、燃焼室の内部をおが屑で充填した状態でおが屑を燃焼させることができるので、おが屑を完全燃焼させることができて、一酸化炭素やＮＯｘなどの環境を汚染する物質が排出されてしまうのを防止することができる。
【考案を実施するための最良の形態】
【００１２】
以下に、本考案に係る温風発生機の具体的な構成について図面を参照しながら説明する。
【００１３】
図１に示すように、温風発生機１は、燃料となるおが屑を自動的に供給するおが屑供給装置２と燃焼するおが屑を熱源として温風を供給する温風供給装置３とで構成している。
【００１４】
おが屑供給装置２は、おが屑を貯留する貯留タンク４にコンベア５を取付け、貯留タンク４に貯留したおが屑をコンベア５の供給口６から温風供給装置３に供給するようにしている。
【００１５】
温風供給装置３は、図１〜図６に示すように、中空矩形箱型状のケーシング７の左側上部におが屑を燃焼させるための燃焼室８を形成している。
【００１６】
この燃焼室８は、中空円筒状の本体９の上部におが屑をコンベア５の供給口６から投入するための投入口10を形成するとともに、本体９の底部に多孔板11を取付け、本体９の底側周壁に多数の貫通孔からなる吸入口12を形成している。この吸入口12は、ケーシング７の内部と連通している。
【００１７】
また、燃焼室８は、ケーシング７の左端部に取付けた着火用のバーナー13を本体９の側部に連結し、吸入口12からバーナー13の火炎を噴出させるようにするとともに、バーナー13を連結した吸入口12の上方に断面山型状の粉塵防爆カバー14を本体９の内周壁から内側に向けて取付けており、この粉塵防爆カバー14によってバーナー13から噴出した火炎が上方に燃え上がるのを防止している。
【００１８】
さらに、燃焼室８は、多孔板11の上部に多孔状のロストル15を載置するとともに、本体９の吸入口12よりも上方位置におが屑を検出するためのセンサー16を取付けている。なお、センサー16でおが屑を検出した場合には、おが屑供給装置２のコンベア５を停止するようにしており、これにより、おが屑供給装置２から常に自動的に所定量のおが屑が燃焼室８に供給されるようにしている。
【００１９】
また、温風供給装置３は、ケーシング７の内部に熱交換パイプ17を収容している。
【００２０】
この熱交換パイプ17は、比較的大径の基端側パイプ18に複数本の比較的小径の先端側パイプ19の始端部を分岐状に連結し、先端側パイプ19の終端部に比較的大径の集合パイプ20を連結しており、基端側パイプ18の始端側上部に燃焼室８を多孔板11を介して連通連結している。
【００２１】
また、温風供給装置３は、ケーシング７の右側端部に吸引装置21を取付けている。
【００２２】
この吸引装置21は、熱交換パイプ17の集合パイプ20に連通ダクト22を接続し、連通ダクト22の上端部に吸気ファン23を接続し、吸気ファン23に排気ダクト24を接続している。
【００２３】
さらに、温風供給装置３は、ケーシング７の上部に２個の送風ファン25,26を左右に間隔をあけて取付けるとともに、ケーシング７の右側前後部に送風ダクト27,28を形成している。なお、左側の送風ファン25は、熱交換パイプ17の基端側パイプ18と対向させて配置し、右側の送風ファン26は、熱交換パイプ17の先端側パイプ19と対向させて配置している。
【００２４】
温風発生機１は、以上に説明したように構成しており、以下に説明するようにしておが屑を熱源として温風を発生するようにしている。
【００２５】
温風発生機１で温風を発生するには、まず、おが屑供給装置２を駆動して温風供給装置３の燃焼室８におが屑を供給する。
【００２６】
なお、おが屑は、センサー16で検出されるまで自動的に供給されるため、図６中に一点鎖線で示す位置まで多孔板11の上部に山積みされ、その後、燃焼によって消費されても続けて図６中の一点鎖線の位置まで供給される。また、おが屑は、ロストル15に山積みされるために、ロストル15の直下部に空間が形成される。
【００２７】
次に、吸引装置21の吸気ファン23を駆動するとともに、着火用のバーナー13を駆動しておが屑に着火する。このときに、バーナー13の火炎が噴出される燃焼室８の吸入口12の上方に粉塵防爆カバー14を設けているために、火炎が上方に燃え上がって爆発してしまうのを防止している。なお、着火後はバーナー13の駆動を停止する。
【００２８】
これにより、燃焼室８の内部でおが屑が燃焼し、吸引装置21によって燃焼ガスが燃焼室８から熱交換パイプ17に吸引され、排気ダクト24から外部に排気される。しかも、吸引装置21によって燃焼室８の吸入口12から空気が吸引されるため、燃焼室８の内部でおが屑が連続して燃焼することになる。
【００２９】
そして、送風ファン25,26を駆動すると、送風ファン25,26によって吸引した外気を対向配置した熱交換パイプ17に向けて送風し、熱交換パイプ17によって加熱され、温風となって送風ダクト27,28から噴出される。
【００３０】
上記温風発生機1では、吸引装置21の吸引量を適宜調節することによって、燃焼室８での燃焼状態を調節することができ、これにより噴出される温風の温度を調節することができる。
【００３１】
また、上記温風発生機１では、燃焼室８の吸入口12から熱交換パイプ17によって温められた空気が取り込まれるために、燃焼室８での燃焼効率を向上させることができる。
【００３２】
このように、上記温風発生機１では、おが屑を燃焼させる燃焼室８に熱交換パイプ17を連通連結するとともに、熱交換パイプ17に吸引装置21を連通連結する一方、送風ファン25,26を熱交換パイプ17に対向配置し、送風ファン25,26から熱交換パイプ17に向けて送風し送風ダクト27,28から温風を噴出すように構成している。
【００３３】
そのため、上記構成の温風発生機１では、燃料としておが屑を用いることができ、燃料費を低く抑えることができるので、温風発生機１のランニングコストを低減することができる。
【００３４】
また、上記温風発生機１では、燃焼室８の底壁に熱交換パイプ17と連通する連通孔（多孔板11）を形成するとともに、燃焼室８の周壁に外気を吸入する吸入口12を形成し、吸入口12よりも上方におが屑を検出するためのセンサー16を配置するように構成している。
【００３５】
そのため、上記構成の温風発生機１では、燃焼室８の内部をおが屑で充填した状態でおが屑を燃焼させることができるので、おが屑を完全燃焼させることができて、一酸化炭素やＮＯｘなどの環境を汚染する物質が排出されてしまうのを防止することができる。
【図面の簡単な説明】
【００３６】
【図１】本考案に係る温風発生機を示す正面図。
【図２】温風供給装置を示す正面図。
【図３】同平面図。
【図４】同正面断面図。
【図５】同側面断面図。
【図６】燃焼室を示す正面断面図。
【符号の説明】
【００３７】
１  温風発生機                        ２  おが屑供給装置
３  温風供給装置                      ４  貯留タンク
５  コンベア                          ６  供給口
７  ケーシング                        ８  燃焼室
９  本体                              10  投入口
11  多孔板                            12  吸入口
13  バーナー                          14  粉塵防爆カバー
15  ロストル                          16  センサー
17  熱交換パイプ                      18  基端側パイプ
19  先端側パイプ                      20  集合パイプ
21  吸引装置                          22  連通ダクト
23  吸気ファン                        24  排気ダクト
25,26  送風ファン                     27,28  送風ダクト
【図１】
0003146596.tif 000003
【図２】
0003146596.tif 000004
【図３】
0003146596.tif 000005
【図４】
0003146596.tif 000006
【図５】
0003146596.tif 000007
【図６】
0003146596.tif 000008